(57)【要約】  通常の生活環境に近い状態において検査可能であって、比較的簡単な解析方法により無呼吸状態と低呼吸状態とを明確に区別しうるＳＡＳ診断装置のような体動検出装置及び当該装置に好適に利用できる光ファイバシートを提供することを目的する。  ＬＥＤなどの光源２と光ファイバシート１０と当該光ファイバシート１０から出力された光量の変化を測定し、体動の検出する解析部３とからＳＡＳ診断装置のような体動検出装置を構成する。この光ファイバシート１０には、布帛や紙、プラスチックシートなどの平面状体２０上にグレーデッドインデックス型石英系光ファイバ１１を直接又は間接に配置、固定した光ファイバシート１０を用いる。このとき、紙や布帛などのシート状支持体３１に粘着剤層３２を形成した粘着シート３０を用いるのが好ましい。
2010110292.tif 000002
【特許請求の範囲】
【請求項１】
光ファイバと平面状体を備え、光ファイバに加わる側圧により発生する過剰損失に基づく伝送信号光の光量変化を計測するための光ファイバシートであって、
前記光ファイバはグレーデッドインデックス型石英系光ファイバであることを特徴とする光ファイバシート。
【請求項２】
前記伝送信号光が全モード励振条件で入力されることを特徴とする請求項１に記載の光ファイバシート。
【請求項３】
前記光ファイバシートはシート状支持体の表面に備えられた粘着シートを介して前記光ファイバが配設されたことを特徴とする請求項１又は２に記載の光ファイバシート。
【請求項４】
前記光ファイバシートはシート状支持体の表面ほぼ全域に粘着剤層を有する粘着シート上に前記光ファイバが配設されたことを特徴とする請求項３に記載の光ファイバシート。
【請求項５】
前記光ファイバシートはシート状支持体の表面周縁に粘着剤層を有する粘着シート上に前記光ファイバが配設されたことを特徴とする請求項３に記載の光ファイバシート。
【請求項６】
前記光ファイバシートはシート状支持体の表面にストライプ状に形成された粘着剤層を有する粘着シート上に前記光ファイバが配設されたことを特徴とする請求項３に記載の光ファイバシート。
【請求項７】
前記光ファイバシートはシート状支持体の表面に斜めストライプ状に形成された粘着剤層を有する粘着シート上に前記光ファイバが配設されたことを特徴とする請求項３に記載の光ファイバシート。
【請求項８】
前記光ファイバシートはシート状支持体の表面に十字クロス状に形成された粘着剤層を有する粘着シート上に前記光ファイバが配設されたことを特徴とする請求項３に記載の光ファイバシート。
【請求項９】
請求項５〜８の何れか１項に記載の粘着シートは、シート状支持体の表面に両面粘着テープが貼り合わせられてなることを特徴とする光ファイバシート。
【請求項１０】
光源と、
請求項１〜９の何れか１項に記載の光ファイバシートと、
光ファイバシートから出力された光量変化を測定し、体動の検出する解析部を備えた体動検出装置。
【請求項１１】
光ファイバへの入力信号光が全モード励振条件で入力されることを特徴とする請求項１０に記載の体動検出装置。
【請求項１２】
グレーデッドインデックス型石英系光ファイバと平面状体を備えた光ファイバシートの製造方法であって、
前記平面状体に粘着剤層を備えた粘着シートに、前記光ファイバを固定する工程を有することを特徴とする光ファイバシートの製造方法。
【発明の詳細な説明】
【技術分野】
【０００１】
本発明は、光ファイバシート及び体動検出装置に関する。具体的には睡眠時無呼吸症候群の診断に好適に用いられる体動検出装置及び当該装置に適した光ファイバシートに関する。
【背景技術】
【０００２】
２００３年の新幹線居眠り運転報告を契機として、近年、睡眠時無呼吸症候群（ＳＡＳ：Sleep Apnea Syndrome）が一躍注目を集めるようになった。ＳＡＳは、睡眠中に１０秒以上の呼吸が停止（無呼吸状態）若しくは気道が狭くなり呼吸が細くなること、具体的には１０秒以上換気量が５０％以上低下すること（低呼吸状態）が１時間あたり平均５回以上繰り返される病気である。ＳＡＳ患者では、起床時の頭痛や日中の眠気などの症状が現れる。ＳＡＳは高血圧を引き起こす原因ともなり、ＳＡＳ患者では心筋梗塞・脳卒中などの合併率が高くなると言われている。その他にも夜間頻尿やインポテンツ、頭重感や口渇などの症状も現れることがある。ＳＡＳは中高年の男性にみられることが多いが、近年子供にも増えてきていると言われている。その原因は不明であるが、柔らかい食物を多く摂取するようになり顎が退化し始めた人類の宿命とも言われている。【０００３】
ＳＡＳの患者数は日本においては総人口の約４％、数にして４８０万人とも言われ、そのうち潜在的な患者数が２８０万人とも言われている。ＳＡＳ患者は眠気が強い場合には居眠り運転による交通事故や産業事故を起こしやすい。また、電車などの公共交通機関の運転手などＳＡＳ患者がこのような仕事に従事することは非常に危険なことであり、早急な対策が求められるところである。【０００４】
ところで、ＳＡＳの診断は、現在のところ、終夜睡眠ポリグラフ検査（ＰＳＧ検査）による精密診断が主体であり、ＰＳＧ検査の一部項目を省いた簡易的な方法、例えばパルスオキシメーターや呼吸数（呼吸量）計測器などを用いた簡易検査がスクリーニング方法として利用されている。簡易検査では携帯用の装置で検査可能であり、入院の必要がなく自宅でも検査できるが、診断の確定にはＰＳＧ検査が必要である。ところが、ＰＳＧによる診断では入院が必要とされる。また、検査後には専門技師による解析が必要であり、手間や時間、そして高い費用を要していた。さらに、ＰＳＧ検査や簡易検査においては、口元や鼻の近くにサーミスタのような計測具を配置するので、自然な睡眠を妨げるものであった。【０００５】
一方、呼吸による体動によって呼吸の有無を調べるという方法も開発されている。例えば、特殊なマットを用いて、呼吸によって生じるマットの高低の変化を気圧の変化として捉えるという方法が実用化されている。しかしながら、この方法はＳ／Ｎ比が悪い。すなわち、この方法は脈拍や寝返りによる体動と呼吸による体動を区別するために特殊な数学的信号解析から判断する手法であり、信頼性が悪いものとなっていた。また、マット内に気圧の変化を検出する装置を組み込む必要があるので、構成が複雑となり、その製造も煩雑なものとなっていた。【０００６】
このような状況下において、特開２００７−６１３０６号公報には、光ファイバを布などからなるシーツなどに固定若しくは混入した光ファイバシートが開示されている。この光ファイバシートは、体動によって生じた光ファイバの形状変化を、光ファイバ内を伝播する光の偏波状態の変化として捉えるものである。この光ファイバシートを用いた場合には、Ｓ／Ｎ比がよく、呼吸のようなわずかな体動を検出することができ、寝返りや脈拍と呼吸を明確に区別できる、また、通常の生活環境に近い状態で呼吸の状態を観測することができるという利点がある。
【先行技術文献】
【特許文献】
【０００７】
【特許文献１】特開２００７−６１３０６号公報
【発明の概要】
【発明が解決しようとする課題】
【０００８】
しかしながら、上記の光ファイバシートは、体動を光の偏波状態の変動量として捉えている。この偏波変動量を測定するために、光ファイバから出射された光を解析する特別な解析装置が要求され、その解析には専門的な能力が要求される。また、特許文献１に用いられる偏波変動を測定するための光ファイバは、断面形状が非等方的であり、偏波変動量に曲げ依存性があるので、変動に敏感な方向を揃えるようにしてシートを形成しないと、シート毎に体動に対する感度が変動してしまうという問題がある。【０００９】
本願発明は、通常の生活環境に近い状態において検査可能であって、比較的簡単な解析方法により、体動を正しく検知して無呼吸状態と低呼吸状態とを明確に区別しうる体動検出装置を提供することを目的としている。
【課題を解決するための手段】
【００１０】
本発明の光ファイバシートは、光ファイバと平面状体を備え、光ファイバに加わる側圧により発生する過剰損失に基づく伝送信号光の光量変化を計測するための光ファイバシートであって、前記光ファイバはグレーデッドインデックス型石英系光ファイバであることを特徴とする。【００１１】
本発明の光ファイバシートにはグレーデッドインデックス型石英系光ファイバ（以下、ＧＩ型石英系光ファイバ）が用いられている。ＧＩ型石英系光ファイバは、側圧による応力負荷によってマイクロベンディング損失が発生し、光ファイバの伝達損失に過剰損失が発生する。本発明は、この過剰損失に基づく伝送信号光の光量変化を計測することによって、体動を検知可能としたものである。また、ＧＩ型石英系光ファイバは側圧による過剰損失が大きいので、わずかな体動変化によって大きな光量変化が測定される。従って、体動に大きな差が見られない無呼吸状態と低呼吸状態とを明確に区別できる。【００１２】
また、本発明の光ファイバシートの製造方法は、平面状体に粘着剤層を備えた粘着シートにＧＩ型石英系光ファイバを固定する工程を有している。この方法では粘着シート上に光ファイバを配置するだけで、平面状体に光ファイバを固定できる。この結果、光ファイバシートの生産性が向上する。
【発明の効果】
【００１３】
本発明においては、光ファイバシートから出力された光量の変化を測定するという簡単な解析だけで、寝返りや脈拍などのＳＡＳの診断に不要な情報と、それに必要な呼吸情報とを明確に区別できる。
【図面の簡単な説明】
【００１４】
【図１】図１は本発明のＳＡＳ診断装置の基本構成図である。
【図２】図２は図１のＳＡＳ診断装置のブロック図である。
【図３】図３は本発明の一実施形態である光ファイバシートの分解構成図である。
【図４】図４は図３に示す光ファイバシートの断面構成図である。
【図５】図５は図１に示す構成を有するＳＡＳ診断装置を用いた測定結果の一例を示す図であって、（Ａ）は比較例であるプラスチック製の光ファイバを用いた測定結果、（Ｂ）（Ｃ）（Ｄ）はＧＩ型石英系光ファイバを用いた測定結果である。（Ｂ）は正常な呼吸信号領域を、（Ｃ）は無呼吸信号領域と寝返り信号を、（Ｄ）は無呼吸信号領域を示す。
【図６】図６は本発明の別な実施形態である光ファイバシートの断面構成図である。
【図７】図７は本発明のさらに別な実施形態である光ファイバシートの構造を示す図であって、同図（ａ）はその断面構成図、同図（ｂ）はその一部を省略した平面図である。
【図８】図８は本発明のさらに別な実施形態である光ファイバシートの断面構成図である。
【図９】図９は本発明のさらに別な実施形態である光ファイバシートの一部を省略した平面図である。
【図１０】図１０は本発明のさらに別な実施形態である光ファイバシートの一部を省略した平面図である。
【図１１】図１１は本発明のさらに別な実施形態である光ファイバシートの一部を省略した平面図である。
【図１２】図１２は本発明のさらに別な実施形態である光ファイバシートの一部を省略した平面図である。
【図１３】図１３は本発明のさらに別な実施形態である光ファイバシートの一部を省略した平面図である。
【図１４】図１４は本発明のさらに別な実施形態である光ファイバシートの一部を省略した平面図である。
【図１５】図１５は本発明のさらに別な実施形態である光ファイバシートの一部を省略した平面図である。
【発明を実施するための形態】
【００１５】
本発明の光ファイバシートは、光ファイバとシート状体を備え、光ファイバに加わる側圧により発生する過剰損失に基づく伝送信号光の光量変化を計測するための光ファイバシートであって、前記光ファイバシートがグレーデッドインデックス型石英系光ファイバであることを特徴とする。この光ファイバシートは、例えば、体動から睡眠時無呼吸症候群の診断を行うＳＡＳ診断装置などに好適に用いられる。以下、本発明について添付された各図面に基づいて詳細に説明する。
【実施例１】
【００１６】
図１は本発明の睡眠時無呼吸症候群診断装置（以下「ＳＡＳ診断装置」と称する。）の基本構成図、図２は当該ＳＡＳ装置のブロック図、図３は当該ＳＡＳ診断装置に用いられる本発明の一実施形態である光ファイバシートの分解斜視図、図４はその断面構成図である。【００１７】
ＳＡＳ診断装置は、光源２と、本発明の光ファイバシート１０と、光ファイバシート１０から出力された光量の変化を測定し、体動を検出する解析部３及び解析部３における測定結果を表示する表示部８を備える。図１に示すＳＡＳ診断装置の解析部３は、光ファイバ１１を通過した光の光量を測定する光量計４と、測定された光量の変動を検出する処理装置５とを有する。光ファイバシート１０は例えば図１に示すようにベッド１上に配置される。【００１８】
ＳＡＳ診断装置は、光ファイバ１１を通過することにより生じた光の光量変動を測定し、その変動から体動、つまり、無呼吸状態であるか、低呼吸状態であるか、それとも呼吸に無関係である体動、例えば、心拍や寝返りをした状態であるのかを判定する。【００１９】
光源２は光ファイバ１１に一定の光量の光を連続して供給する。光源２は一定の光量の光を出射できるものであれば光源２の種類やその構成は特に制約されず、ＬＥＤのような半導体発光素子や白熱体のような発光体が例示される。また、この光源２は、短い周期でパルス状に光を出力する光源２でも連続的に光を出力する光源２のいずれでもよい。睡眠中の体動を調べるためには、人の睡眠時間、好ましくは８〜１２時間程度は途切れることなく出力できる光源２が望ましく用いられる。前記光源２のうち、出射光を安定に出力できることや軽量、小型であること、発熱量や消費電力が少ないことなどに鑑みるとＬＥＤが好適に用いられる。また、ＬＥＤ光源を用いる場合には、その波長は可視光であることが望ましい。光の漏洩により断線の発見が容易になるからである。図１に示す光源２はＬＥＤからなり、処理装置５として用いられるパーソナルコンピュータのＵＳＢポートに接続され、ＵＳＢポート通じて電力が供給される。【００２０】
光量計４は、例えばフォトダイオード（ＰＤ）などの受光素子を備え、光ファイバ１１から出力された光を連続的に受光する。光量計４は受光した光を電気信号に変換し、ケーブル７を介して電気信号として処理装置５に出力する。光ファイバ１１のコア層を通過した光を測定してもよいし、コア層とクラッド層の境界面で反射された反射光を測定することもできる。【００２１】
処理装置５は光量計４から出力された電気信号に基づき、受光量の変化を求める。この受光量（減衰量）の変化は体動、すなわち身体の動きに応じて光ファイバ１１に加わる側圧とほぼ比例関係にある。つまり、受光量の変化が小さいと体動が小さく、受光量の変化が大きいと体動が大きいと判断できる。図５はこの診断装置を用いた測定結果の一例を示すグラフである。例えば図５（Ｂ）に示されるように、受光量が規則正しく変化して一定量以上の振幅の大きさで観測されれば通常の呼吸状態（正常呼吸領域）であると判断できる。また、同図（Ｃ）や（Ｄ）に示されるように、受光量の変化がほとんど観察されず変動振幅が小さければ無呼吸状態であると判断できる。そして、受光量の変化が通常の呼吸状態と無呼吸状態との間であれば、低呼吸状態であると判断できる。また、通常の呼吸状態における変化よりも極めて大きな変化であれば、寝返りなど大きく身体を動かしたことに起因するものと判断できる（同図（Ｃ）参照）。これらの測定結果は、パーソナルコンピュータに備えられた液晶パネルなどの表示部８に表示される。【００２２】
光ファイバシート１０は、グレーデッドインデックス型石英系光ファイバ１１（石英型ＧＩ光ファイバ１１）とそれを支持する平面状体２０とから構成される。石英型ＧＩ光ファイバ１１とは、屈折率がコアの中心からクラッド方向へ中心軸対称の分布形状を持つ屈折率分布（Ｇｒａｄｅｄ  Ｉｎｄｅｘ）を有する光ファイバ１１であって、コア及びクラッド共に石英ガラスから作製されたものである。【００２３】
ＧＩ型石英系光ファイバ１１は側圧による応力負荷によりマイクロベンディング損失が発生し、光ファイバ１１の伝送損失に過剰損失が発生する。本発明はこの特性を利用したものであって、体動による光ファイバ１１への応力負荷変化による過剰損失の変化を計測することにより、体動を測定可能にしている。すなわち、体動に応じて変化する過剰損失を、光ファイバ１１を通過させた光の光量変化によって求めている。特に石英型ＧＩ光ファイバ１１は側圧に極めて敏感であり、側圧による応力負荷が発生した場合の過剰損失が大きい。特に、ＧＩ型光ファイバは、マイクロベンディング損失の起こりやすい高次モード（コア中心からより離れたクラッド側に近いところも伝搬する光）を多く含んで伝送させることができるので、わずかの体動でも大きな光量変化を生じさせることができる。しかしながら、この高次モードは低次モード（コア中心部をより多く伝搬する直線性の高い光）よりもコアの吸収の影響を大きく受けるため、コア自体の材料の吸収が大きいと、高次モードは途中で減衰してしまって利用することができなくなる。従って、高次モードを効率的に利用するためには、コアの材料にできるだけ吸収の少ない材料を用いる方が有利である。石英は通常光ファイバに使用される材料の中で最も吸収損失の少ない材料であるため、本用途に最も適していると言える。【００２４】
体動への感度を最大に高めるためには、ＧＩ型石英系光ファイバに、高次モードの光が最も多く伝播されるように信号光の入力状態を調節することが望ましい。このような条件は全モード励振条件と呼ばれる。この条件は、光ファイバに光を入力する光源の直径もしくは開口数との相対関係で、光源の直径（もしくは開口数）の方が光ファイバの直径（もしくは開口数）より大きい場合に達成される。例えば、光源として、使用するＧＩ型石英系光ファイバの開口数よりも大きい開口数のＬＥＤ光源を用いることで、この条件を達成させることができる。【００２５】
このようにＧＩ型石英系光ファイバ、特に全モード励振条件で光を入力して高次モードで利用すれば、わずかの体動でも大きな光量変化が生じる。その結果、きわめて感度のよい測定が可能となる。また、摩擦による静電気等の電気的雑音の影響を受けにくく、誤認の少ない測定結果が得られる。【００２６】
ＧＩ型石英系光ファイバは、ファイバの断面形状が完全に等方的であり、曲げ損失に曲げ方向依存性が存在しないので、光ファイバシート形成時にファイバの方向を揃える必要がなく、この点においても特許文献１に開示された光ファイバシートに比べて有利であると言える。さらに、石英系光ファイバは、プラスチック製ファイバと比較して剛性が非常に高いため、光ファイバシートに固定する際にキンク等の発生による特性の悪化が生じにくく、生産性に優れている。また、荷重がかかった状態で長期間使用してもファイバが変形したり潰れてしまうことがないので、長期的な安定性に優れている。その一方で剛性に優れた光ファイバとして他に多成分ガラスを用いたファイバもあるが、石英系光ファイバは通信用途に広く利用されているので、入手しやすく性能も安定していて耐候性も高い点でも優れている。このように、ＧＩ型石英系光ファイバは光ファイバシートの製造面においても非常に有利である。【００２７】
平面状体２０は光ファイバ１１を支持する機能を果たす。平面状体２０は、布帛、すなわち織布や編み布、不織布を問わず、いわゆる布として称されるもののみならず、プラスチックシートや紙、メッシュ構造を有する網などの各種シート状のものが利用できる。さらに、平面状体２０には、上記布帛やプラスチックシートのシート状のものだけでなく、スプリング構造体やスポンジ構造体を芯材とするマットレス、敷布団、毛布などの寝具そのものはもちろんのこと、マットレスや敷き布団に用いられるスポンジ体など、直接、寝具類として利用可能な平面状体２０やそれらを素材として寝具に加工されうる平面状体２０などをも含む広い概念で用いられる。【００２８】
また、光ファイバシート１０の製造工程の簡略を図るために、後述するように粘着シートや粘着テープが用いられる。この粘着シートや粘着テープは、布帛や紙、プラスチックシートなどの各種のシート状物を支持体とし、当該支持体の片面又はその両面に粘着剤層を備えたものである。本発明においては、この粘着シートや粘着テープに用いられる支持体も平面状体２０として利用できる。【００２９】
平面状体２０（粘着シート等の支持体を含む）の素材は特に制限されるものではない。布帛の素材として、例えば、絹や綿、麻、ウールなどの天然繊維、アセテートやレーヨンなどの再生繊維、ナイロン、ポリウレタン、ポリエステルなどの合成繊維が例示される。また、プラスチックシートの素材としては、ポリエチレン、ポリウレタン、アクリロニトリルブタジエンスチレン(ＡＢＳ)、エチレンプロピレンゴム、塩化ビニール、スチレンブタジエン系、オレフィン系（ＴＰＯ）、ポリエステル系（ＴＰＥＥ）、ポリウレタン系（ＴＰＵ）などの各種熱可塑性エラストマー、ポリアミド、ポリウレタン、ポリプロピレン、発泡スチロールなどが例示される。【００３０】
これらの中で、柔軟性のある素材が好適に用いられる。さらに、平面状体２０は多孔性のスポンジシートや、綿やウールなどからなる編み布など通気性を有する平面状体２０がより望ましく用いられる。本発明の光ファイバシート１０は、マットレスやベッド、敷布団などの寝具として、あるいは、これらの寝具上に敷かれるシーツ、敷毛布などの類として用いられるからであり、睡眠時の発汗等の影響を避けることができるからである。さらに、場合によっては木材板なども利用されうる。【００３１】
光ファイバ１１は、これらの平面状体２０上に直接又は間接に蛇行する一筆書き状に配設される。また、上記の平面状体２０を支持基材としてその上に配設される場合のみならず、平面状体２０の内部に編み込んだり、平面状体２０の内部に埋設する、平面状体２０の積層体上に配設することもできる。また、２枚の平面状体２０の間に挟む、複数の平面状体２０からなる積層体同士の間に挟むなどの方法により配設される。【００３２】
ＧＩ型石英系光ファイバ１１は強度保持のために通例被覆を有している。このために、外部からの光による影響、つまり迷光による影響を受けるおそれがない。また、外カバーを任意に設けることもできる。この場合には、自由な絵柄や配色のものを選ぶことも可能であり、例えば外カバーを取り外し可能にすれば、外カバーのみを取り外して洗濯でき、衛生的な面での配慮も可能である。【００３３】
平面状体２０の上に配設、固定する方法として、接着剤等を用いて平面状体２０上に直接的に光ファイバ１１を配設し、固定することもできる。また、光ファイバ１１の上下を平面状体２０で挟み、平面状体２０同士を圧接する、その周縁を蒸着や接着することで２枚の平面状体２０の間に配設及び固定することもできる。また、敷布団の綿中に光ファイバ１１を埋設し、平面状体２０上に間接的に配設し、固定しても差し使えない。【００３４】
さらに、紙やプラスチックシートなどの支持体上に粘着剤層が形成された粘着シートや粘着テープを用いて光ファイバ１１を平面状体２０上に間接的に配設し、固定することができる。また、平面状体２０上に光ファイバ１１を載置して、その上から粘着シートや粘着テープで固定する方法などが例示される。【００３５】
図３及び図４に示す光ファイバシート１０は、多数の空孔を有する通気性のスポンジシート２１と、光ファイバ１１がメッシュ構造の網布２２に編み込まれたメッシュ構造体２４と、遮光性を備える黒色の布カバー２３とから構成され、スポンジシート２１と布カバー２３との間にメッシュ構造体２４が挟まれた構造を有している。そしてスポンジシート２１と布カバー２３の周縁が縫い合わされ、光ファイバシート１０が作製されている。光ファイバ１１は、光ファイバシート１０の短辺と平行となった配設部分を６列有する一筆書き状に配設されている。【００３６】
図５は実施例１に示す構成のＳＡＳ診断装置を用いて実際に測定した結果を示す一例である。この測定においては、光ファイバシートを敷布団とその上に敷いたシーツの間に挟んで配置した。光ファイバシートは、厚さ３ｍｍの多数の空孔のあるスポンジシートに、通気性のあるメッシュ構造の網布に光ファイバ（コア径φ５０μｍ、クラッド径φ１２５μｍ、配設延長７ｍ）を図３に示す光ファイバシートのように編み込み、さらにこのメッシュ構造体上に黒い布製のカバーを載置した光ファイバシートを用いた(図３、図４参照）。また、光源には赤色ＬＥＤを用いた出力のＵＳＢ接続用の光源を用いた。光源と光ファイバシートの入射端及び光ファイバシートの出射端と光パワーメータを、それぞれＰＯＦ（Plastic Optical Fiber：光プラスチックファイバ）で光学的に接続した。光パワーメータからの出力はパーソナルコンピュータでデータ処理を行い、光量変化を算出した。被験者は、身長１７５ｃｍ、体重８５ｋｇ、ＢＭＩ２７.８、年齢４３歳の男性である。配偶者から、毎日の睡眠時に激しいいびきがあり、夜中に呼吸の停止の疑いがあるとの申告があった。そこで、被験者の協力のもと、当該被験者宅で普段の就寝と同じ条件下で測定を行った。【００３７】
図５の縦軸は光ファイバシートから出力された光の受光量（絶対値）、横軸は経過時間を示している。図中の無呼吸信号領域では受光量の変化が極めて少なく、正常呼吸領域では受光量に大きな変化が認められている。さらに、これらの領域の他に振幅が振り切れるほどの大きな受光量の変化が観測された。この図からも明らかに、正常呼吸領域における体動と無呼吸信号領域の体動はそれぞれ明確に区別される。このように、無呼吸状態、正常呼吸状態を明確に読み取ることができるだけでなく、その中間にある低呼吸状態についても明確に読み取ることができる。また、迷光の影響を受けることがなく、夜間の照明がある場合でも有効であることが確認された。一方、プラスチックファイバを用いた例においては、全体として経過時間と共に右下がりのグラフとなっている。これは、プラスチックファイバは柔らかいために、荷重によるファイバ自体の経時的な変形が原因で、損失が変化しているためと考えられる。それに対して、ＧＩ型石英系光ファイバを用いた場合には、変形による現象が見られなかった。【００３８】
さらにこの被験者以外に、年齢３５歳から８２歳まで、やせている女性（体重４２ｋｇ）から太っている男性（体重８５ｋｇ）までの１０人の被験者について、上記ＳＡＳ診断装置を用いて測定したところ、Provisional-ＡＨＩ,（RDI相当)指数(無呼吸・低呼吸指数：apnea hypopnea index）が５以上である６人の被験者をスクリーニングできた。そのうち、都合で一泊の入院検査が困難な１名の被験者を除き、確定診断のために専門医療機関でＰＳＧ検査を受診してもらったところ、残る５名の被験者はＡＨＩ指数が５〜４０の範囲に分布するという確定診断結果が得られた。【００３９】
このように本発明のＳＡＳ診断装置を用いて、一般家庭においても簡便に測定することができた。また、この装置を使えば特別な装置を身に付けることなく、普段の就寝と同様の就寝状態と同じく無侵襲性かつ無拘束性な測定が可能であり、ＳＡＳ症候群の患者である可能性の高い潜在患者をスクリーニングする上で極めて有効であることが明らかとなった。また、明るい室内でも迷光の影響を受けることなく測定できることも明らかとなった。
【実施例２】
【００４０】
図６は本発明の別な実施形態である光ファイバシート１０の断面構造図である。この光ファイバシート１０は、光ファイバ１１と、支持体３１の表面ほぼ全面に粘着剤層３２を有する粘着シート３０と、スポンジシート２１と、遮光性を有する布製の外カバー２３を有する。光ファイバ１１は粘着剤層３２上に配設、固定され、その上にスポンジシート２１が重ねられている。そして、それらの上下面がそれぞれ外カバー２３で覆われている。この光ファイバシート１０は図３に示す光ファイバシート１０と同様の機能を発揮し、むしろ全面粘着シート３０上に蛇行光ファイバを配置するという点で、生産性がより向上するという利点が得られる。
【実施例３】
【００４１】
図７（ａ）は本発明のさらに別な実施形態である光ファイバシート１０の断面構造図、同図（ｂ）は当該光ファイバシート１０の一部を省略した平面構造図である。図７に示す光ファイバシート１０は、光ファイバ１１と、シート状の支持体３１表面の周縁に粘着剤層３２を有する粘着シート３０と、スポンジシート２１と、遮光性を有する布製の外カバー２３を有している。光ファイバ１１は粘着シート３０上に配設、固定され、その上にスポンジシート２１が重ねられている。そして、それらの上下面がそれぞれ外カバー２３で覆われている。また、図８に示すように、上下の布カバー２３の内側に、それぞれメッシュ構造の網布からなる内カバー２５を備え、内カバー２５、外カバー２３の二重カバー構造となった光ファイバシート１０を作製した。これらの光ファイバシート１０は図３に示す光ファイバシート１０と同様の機能を発揮し、周辺（四辺）粘着シート３０上に蛇行光ファイバを配置するという点で、生産性がより向上するという利点が得られる。
【実施例４】
【００４２】
本発明においては、支持体３１の周縁のみに粘着剤層３２を有する粘着シート３０（図７や図８参照）のみならず、下記の実施例のように支持体３１表面に部分的に粘着剤層３２を有する粘着シート３０も使用できる。粘着シート３０の利用により、光ファイバ１１の配設が容易になるからである。【００４３】
図９は本発明のさらに別な実施形態である光ファイバシート１０の一部を省略した平面図である。同図に示す光ファイバシート１０は、図７に示す光ファイバシート１０とほぼ同様の構成を有するが、図９に示す光ファイバシート１０は、シート状の支持体３１の表面に、粘着剤層３２が支持体３１の長軸方向に平行となるストライプ状に形成された粘着シート３０が用いられている。光ファイバシート１０においても、ストライプ状に粘着剤層３２を有する粘着シート３０上に光ファイバ１１が配設、固定され、その上にスポンジシート２１が配置されている。このようにストライプ状の粘着剤層３２が形成された粘着シート３０を用いることもできる。この光ファイバシート１０も図３に示す光ファイバシート１０と同様の機能を発揮し、ストライプ状の粘着シート３０上に蛇行光ファイバを配置するという点で、生産性がより向上するという利点が得られる。もちろん、図８に示すように、さらにメッシュ構造の網布からなる内カバー２５を配置し、内カバー２５、外カバー２３の二重カバー構造の光ファイバシート１０としてもよい（図示せず）。【００４４】
図１０に示す光ファイバシート１０は、ストライプ状の粘着シート３０の代替として、紙の平面状体２７に、テープ状の支持体３３の両面に粘着剤層３４が形成された粘着テープ（いわゆる両面粘着テープ）３５が貼り合わせられた粘着シート３０が用いられている。このように両面粘着テープ３５を用いることも有効な手段となる。
【実施例５】
【００４５】
図１１は本発明のさらに別な実施形態である光ファイバシート１０の一部を省略した平面図である。この光ファイバシート１０も、図７に示す光ファイバシート１０と同様の構成を有するが、図１１に示す光ファイバシート１０はシート状の支持体３１の表面に斜めストライプ状に粘着剤層３２が形成された粘着シート３０が用いられている。この光ファイバシート１０も図３に示す光ファイバシート１０と同様の機能を発揮し、むしろ斜めストライプ状の粘着シート３０上に蛇行光ファイバを配置するという点で、生産性がより向上するという利点が得られる。もちろん、図８に示す光ファイバシート１０と同様に、さらにメッシュ構造の網布からなる内カバー２５を配置し、内カバー２５、外カバー２３の二重カバー構造の光ファイバシート１０としてもよい（図示せず）。【００４６】
また、図示はしないが、斜めストライプ状の粘着シート３０の代替として、紙の平面状体２７に、テープ状の支持体３３の両面に粘着剤層３４が形成された粘着テープ（いわゆる両面粘着テープ）３５を貼り合わせた粘着シート３０を用いることも有効な手段である。
【実施例６】
【００４７】
図１２は本発明のさらに別な実施形態である光ファイバシート１０の一部を省略した平面図である。この光ファイバシート１０は、図７に示す光ファイバシート１０と同様の構成を有するが、図１２に示す光ファイバシート１０ではシート状の支持体３１の表面に斜めクロス状に粘着剤層３２が形成された粘着シート３０が用いられている点で異なっている。このような斜めストライプ状に粘着剤層３２が形成された粘着シート３０を用いることもできる。この光ファイバシート１０も図３に示す光ファイバシート１０と同様の機能を発揮し、斜めクロス状の粘着シート３０上に蛇行光ファイバを配置するという点で、生産性がより向上するという利点が得られる。もちろん、図８に示す光ファイバシート１０と同様に、さらにメッシュ構造の網布からなる内カバー２５を配置し、内カバー２５、外カバー２３の二重カバー構造の光ファイバシート１０としてもよい（図示せず）。
【実施例７】
【００４８】
図１３は本発明のさらに別な実施形態である光ファイバシート１０の一部を省略した平面図である。この光ファイバシート１０は、図７に示す光ファイバシート１０と同様の構成を有するが、図１３に示す光ファイバシート１０はシート状の支持体３１の表面に十字クロス状に粘着剤層３２が形成された粘着シート３０が用いられている。このような十字クロス状に粘着剤層３２が形成された粘着シート３０を用いることもできる。【００４９】
さらに、図示はしないが、実施例６や実施例７においても、斜めクロス状又は十字クロス状に粘着剤層３２が形成された粘着シート３０の替わりに、紙の平面状体２７にいわゆる両面粘着テープを斜めクロス状又は十字クロス状に貼り合わせた粘着シート３０を用いることができるのは言うまでもない。
【実施例８】
【００５０】
図１４は本発明のさらに別な実施形態である光ファイバシート１０の一部を省略した平面図である。この光ファイバシート１０は、図３に示す光ファイバシート１０と同様の構成を有するが、図１４に示す光ファイバシート１０は、光ファイバシート１０の長辺と平行な方向（いわゆる縦方向）に光ファイバ１１が配設され、光ファイバシート１０の長辺と平行となった配設部分が複数列存在している。このように光ファイバシート１０の長辺と平行な方向に光ファイバ１１を配設しても、体動を検出することができる。
【実施例９】
【００５１】
図１５は本発明のさらに別な実施形態である光ファイバシート１０の一部を省略した平面図である。この光ファイバシート１０は、図１２に示す光ファイバシートと同様の構成を有するが、光ファイバ１１は粘着シート３０上のほぼ中央領域においてターン部分１１ａを有する渦巻き状に配設され、光ファイバ１１の配設長が長くなったものである。ターン部分１１ａは一筆書き状に配設される光ファイバ１１の折り返し部分である。光ファイバ１１の配設長が長いほど体動による受光量の変化が大きくなり検出感度が上がる。渦巻き状の配設は単位面積当たりの配設長が長くなるので、より好ましい実施形態であると言える。【００５２】
もっとも、本発明の光ファイバシート１０は、仰臥位や腹臥位になった人の体動を感度よく検出できるのでＳＡＳの診断に対して非常に好適ではあるが、必ずしもＳＡＳ診断装置に限って用いられるものではなく、ＳＡＳ診断装置の他にも体動を検出して姿勢の移動を捉えるための装置に広く用いることができるのは言うまでもない。【００５３】
なお、上記に示された実施形態や実施例は例示であって、本発明は上記の実施形態や実施例に限定されるものではなく、特許請求の範囲の範囲及びこれと均等に含まれるすべての変更が本発明に含まれることが意図される。
【符号の説明】
【００５４】
１  ベッド
２  光源
３  解析部
４  光量計
５  処理装置
１０  光ファイバシート
１１  光ファイバ
２０  平面状体
２１  平面状体であるスポンジシート
２３  平面状体である外カバー
２４  光ファイバが編み込まれたメッシュ構造体
３０  粘着シート
３１  粘着シートの支持体（平面状体）
３５  両面粘着テープ
【図１】
2010110292.tif 000003
【図２】
2010110292.tif 000004
【図３】
2010110292.tif 000005
【図４】
2010110292.tif 000006
【図５】
2010110292.tif 000007
【図６】
2010110292.tif 000008
【図７】
2010110292.tif 000009
【図８】
2010110292.tif 000010
【図９】
2010110292.tif 000011
【図１０】
2010110292.tif 000012
【図１１】
2010110292.tif 000013
【図１２】
2010110292.tif 000014
【図１３】
2010110292.tif 000015
【図１４】
2010110292.tif 000016
【図１５】
2010110292.tif 000017
【国際調査報告】
2010110292.tif 000018
2010110292.tif 000019
2010110292.tif 000020
2010110292.tif 000021